(57)【要約】【課題】マクロセルに在圏している移動機を、フェムトセルに移行させやすくする。【解決手段】マクロ基地局３によりブロードキャストされた隣接セルリストを受信したフェムト基地局２においては、CPICH RSCPを算出することによって、隣接セルリストにスクランブリングコードが記述されているマクロ基地局からの電波の受信状況が検出される。また、フェムト基地局２においては、隣接セルリストにスクランブリングコードが記述されているマクロ基地局の中から、フェムト基地局２の設置位置においては受信できない、または閾値以下の強度でしか受信できない電波を出力するマクロ基地局が特定され、特定されたマクロ基地局に割り当てられているスクランブリングコードと同じスクランブリングコードが、移動機１と通信を行うために用いるスクランブリングコードとして設定される。本発明は、フェムトセルの基地局に適用することができる。【選択図】図２
2010118986.tif 000002
【特許請求の範囲】
【請求項１】
公衆網を構成するマクロ基地局のカバーエリアよりも狭いエリアをカバーエリアとする小型基地局であって、
近隣にあるマクロ基地局毎に割り当てられている基地局情報を含む隣接セルリストを受信する受信手段と、
前記隣接セルリストに含まれる基地局情報が割り当てられているマクロ基地局毎に、前記マクロ基地局が出力する電波の受信状況を検出する検出手段と、
前記電波の受信状況が所定の閾値以下の強度である場合に、前記電波を出力するマクロ基地局に割り当てられている基地局情報を、自己の基地局情報として設定する設定手段と
を備える小型基地局。
【請求項２】
前記設定手段は、所定の閾値以下の強度の前記電波を出力する前記マクロ基地局が複数ある場合、複数の前記マクロ基地局に割り当てられている基地局情報のうち、最も弱い前記電波を出力する前記マクロ基地局に割り当てられている基地局情報を自己の基地局情報として設定する
請求項１に記載の小型基地局。
【請求項３】
公衆網を構成するマクロ基地局のカバーエリアよりも狭いエリアをカバーエリアとする小型基地局の設定方法であって、
近隣にあるマクロ基地局毎に割り当てられている基地局情報を含む隣接セルリストを受信し、
前記隣接セルリストに含まれる基地局情報が割り当てられているマクロ基地局毎に、前記マクロ基地局が出力する電波の受信状況を検出し、
前記電波の受信状況が所定の閾値以下の強度である場合に、前記電波を出力するマクロ基地局に割り当てられている基地局情報を、自己の基地局情報として設定する
ステップを含む設定方法。
【発明の詳細な説明】
【技術分野】
【０００１】
本発明は、小型基地局、設定方法に関し、特に、マクロセルに在圏している移動機を、フェムトセルに移行させやすくすることができるようにした小型基地局、設定方法に関する。
【背景技術】
【０００２】
基地局がカバーする通信エリアを表す概念として「セル」があり、近年、家庭内、オフィス内など、半径数十メートルの狭い範囲をカバーするためのものとして「フェムトセル」が注目されている。
【０００３】
「フェムトセル」は、そのような狭い範囲をカバーする程度のレベルの電波を出力する基地局であるフェムト基地局を、ADSL(Asymmetric Digital Subscriber Line)モデムなどのブロードバンド回線のモデムに接続することによって構築される。
【０００４】
不特定多数の公衆向けのものであって、半径数百メートルから数キロメートルの広いセルである「マクロセル」とは異なり、「フェムトセル」はフェムト基地局が設置された家屋の住人などの限られたユーザに対して通信サービスを提供するものである。
【０００５】
例えば、屋外にいるユーザが、マクロセルに在圏している状態の移動機を使って音声通話を行った場合、その音声データはマクロセルをカバーするマクロ基地局から無線アクセスネットワークおよびコアネットワークを介して通信相手の移動機に送信される。
【０００６】
一方、屋内にいるユーザが、フェムトセルに在圏している状態の移動機を使って音声通話を行った場合、その音声データはフェムト基地局からモデムに出力され、ブロードバンド回線、コアネットワークなどを介して通信相手の移動機に送信される。
【０００７】
【特許文献１】特開２００７−１１６３９１号公報
【特許文献２】特開２００７−１４０８２９号公報
【特許文献３】特開２００５−１７５６１１号公報
【特許文献４】特開２００２−２１８５２８号公報
【発明の開示】
【発明が解決しようとする課題】
【０００８】
マクロセルに在圏している移動機を使って通信を行うのと、フェムトセルに在圏している移動機を使って通信を行うのとでは、後者の方が通信コストが安い場合および良好な通信品質が得られる場合が多い。
【０００９】
従って、フェムトセルを構築した家屋が、あるマクロ基地局がカバーするマクロセル内にあり、その家屋内ではマクロセルとフェムトセルの両方を使うことができる場合、通信料を抑えることができることおよび良好な通信品質が得られることから、通常、フェムトセルを使った方がユーザにとってはメリットがある。
【００１０】
すなわち、フェムト基地局を導入してフェムトセルを自宅に構築したユーザからすれば、外出先から帰宅し、自宅に入ったのと同時に、自分の移動機がマクロセルに在圏している状態からフェムトセルに在圏している状態に移行していることが望ましい。
【００１１】
しかしながら、マクロ基地局に在圏している状態からフェムトセルに在圏している状態に移行するには、後述するように、マクロ基地局が出力する電波より、フェムト基地局が出力する電波の方が充分に強いといったような条件を満たす必要がある。
【００１２】
条件を満たさないために自宅に入った後もマクロセルに在圏している状態が続く場合、移動機を使った通信はマクロセルを使って行われることになり、自宅にフェムトセルがあったとしてもそのメリットを受けることができない。
【００１３】
ここで、移動機によるセル間の移行について説明する。
【００１４】
CDMA(Code Division Multiple Access)方式の通信システムにおいては、移動機との通信時の拡散変調、復調に用いるコードとしてスクランブリングコードが各マクロ基地局に割り当てられている。
【００１５】
各マクロ基地局からは、そのマクロ基地局のスクランブリングコードと、近隣にあるマクロセルを管理するマクロ基地局のスクランブリングコードが記述された隣接セルリストがブロードキャストされるようになされている。例えば、隣接セルリストには３２のスクランブリングコードが記述される。
【００１６】
マクロセルに在圏している移動機は、ブロードキャストされる隣接セルリストを受信することによって、いま在圏しているマクロセルの近くにあるマクロセルを管理するマクロ基地局のスクランブリングコードを参照し、適宜、他のマクロセルに移行することが可能になる。
【００１７】
他のマクロセルへの移行は、いま在圏しているマクロセルの電波の受信状況より、近隣のマクロセルの電波の受信状況の方が良い場合に発生する。
【００１８】
電波の受信状況は、注目するマクロ基地局からの電波の受信電力と、それ以外のマクロ基地局からの電波（妨害波）の受信電力の比であるEc/Noにより表される。Ec/Noは０dB以下の値であり、マクロセル毎に求められる。
【００１９】
マクロセルの移行を行うか否かの判断に用いる値としては、例えば、Sintrasearch、Sintersearch、Qqualminの３つの値が各基地局から報知されており、その値が移動機に設定されている。
【００２０】
移動機は、いま在圏しているマクロセルのEc/Noの値がQqualmin＋Sintrasearch以下になったとき、隣接セルリストにスクランブリングコードが記述されているマクロ基地局の中から、受信している電波と同一周波数帯域の電波を出力する他のマクロ基地局を探索して移行する。
【００２１】
CDMA方式の通信システムにおいては、通信会社に割り当てられている周波数帯域全体が所定の数の帯域に分けられ、どの帯域の電波を使うのかが各マクロ基地局に設定されている。移動機は、自分が在圏しているマクロセルの電波の周波数帯域に合わせて、受信する電波の周波数帯域を選択し、通信を行う。
【００２２】
また、移動機は、いま在圏しているマクロセルのEc/Noの値がQqualmin＋Sintersearch以下になったとき、隣接セルリストにスクランブリングコードが記述されているマクロ基地局の中から、受信している電波と異なる周波数帯域の電波を出力する他のマクロ基地局を探索して移行する。
【００２３】
さらに、移動機は、いま在圏しているマクロセルのEc/Noの値がこのQqualmin以下になったとき、スクランブリングコードが隣接セルリストに記述されていないものも含めて、探索により見つかったマクロ基地局がカバーするマクロセルに移行する。Qqualminは要求される最低限の品質を表す。
【００２４】
隣接セルリストにスクランブリングコードが記述されていないマクロ基地局がカバーするマクロセルに対しては、いま在圏しているマクロセルのEc/Noの値がQqualmin以下にならないと移行することはないことになる。
【００２５】
すなわち、隣接セルリストにスクランブリングコードが記述されていないマクロ基地局がカバーするマクロセルに対する移行が発生する確率は、スクランブリングコードが記述されているマクロ基地局がカバーするマクロセルに対する移行が発生する確率より低い。
【００２６】
ところで、マクロセルからフェムトセルに対する移行も同様にして行われる。
【００２７】
従って、移動機がフェムトセル内に存在する場合であっても、マクロセルからフェムトセルに対する移行は、在圏しているマクロセルのEc/Noの値がQqualmin以下にならないと発生しない。通常、フェムトセルのスクランブリングコードは、マクロ基地局によりブロードキャストされる隣接セルリストに記述されていない。
【００２８】
例えば、図１に示すように、フェムトセルの内側の位置である位置Ｐ1に移動機がある場合であっても、７４のスクランブリングコードが割り当てられたマクロ基地局が管理するマクロセルからそのフェムトセルに対する移行は、Ec/Noの値がQqualmin以下にならないと発生しない。
【００２９】
図１において、大きな円はマクロセルを表し、小さな円はフェムトセルを表す。大きな円の内側に示す７４，１１０，１５０，２２０はマクロセルを管理するマクロ基地局に割り当てられたスクランブリングコードを表し、小さな円の近くに示す５１１はフェムトセルを管理するフェムト基地局に所定の方法によって割り当てられたスクランブリングコードを表す。以下、適宜、各セルを、そのセルを管理する基地局に割り当てられたスクランブリングコードを用いて、マクロセル７４、マクロセル１１０、フェムトセル５１１等として説明する。
【００３０】
また、マクロセル７４に在圏している移動機がマクロセル７４と１５０が重複する位置である位置Ｐ2にあり、この位置Ｐ2にフェムトセルがある場合であっても、マクロセル７４のEc/Noの値がQqualmin以下にまで劣化する前に、隣接セルリストにスクランブリングコードが記述されている、マクロセル１５０を管理するマクロ基地局が探索により見つかったときには、移動機はマクロセル７４から１５０に移行してしまうことになる。
【００３１】
マクロセルからフェムトセルに円滑に移行することができない場合、上述したように、ユーザはフェムトセルを構築したメリットを受けることができない。
【００３２】
フェムト基地局に割り当てたスクランブリングコードを隣接セルリストに記述してマクロ基地局からブロードキャストすることによって、フェムトセルに対して移行しやすくすることも考えられるが、フェムト基地局はユーザが各自、家庭内などに設置するものであるためそれは困難である。
【００３３】
本発明はこのような状況に鑑みてなされたものであり、マクロセルに在圏している移動機を、フェムトセルに移行させやすくすることができるようにするものである。
【課題を解決するための手段】
【００３４】
本発明のフェムト基地局は、公衆網を構成するマクロ基地局のカバーエリアよりも狭いエリアをカバーエリアとする小型基地局であって、近隣にあるマクロ基地局毎に割り当てられている基地局情報を含む隣接セルリストを受信する受信手段と、前記隣接セルリストに含まれる基地局情報が割り当てられているマクロ基地局毎に、前記マクロ基地局が出力する電波の受信状況を検出する検出手段と、前記電波の受信状況が所定の閾値以下の強度である場合に、前記電波を出力するマクロ基地局に割り当てられている基地局情報を、自己の基地局情報として設定する設定手段とを備える。
【００３５】
前記設定手段には、所定の閾値以下の強度の前記電波を出力する前記マクロ基地局が複数ある場合、複数の前記マクロ基地局に割り当てられている基地局情報のうち、最も弱い前記電波を出力する前記マクロ基地局に割り当てられている基地局情報を自己の基地局情報として設定させることができる。
【００３６】
本発明の設定方法は、公衆網を構成するマクロ基地局のカバーエリアよりも狭いエリアをカバーエリアとする小型基地局の設定方法であって、近隣にあるマクロ基地局毎に割り当てられている基地局情報を含む隣接セルリストを受信し、前記隣接セルリストに含まれる基地局情報が割り当てられているマクロ基地局毎に、前記マクロ基地局が出力する電波の受信状況を検出し、前記電波の受信状況が所定の閾値以下の強度である場合に、前記電波を出力するマクロ基地局に割り当てられている基地局情報を、自己の基地局情報として設定するステップを含む。
【００３７】
本発明においては、近隣にあるマクロ基地局毎に割り当てられている基地局情報を含む隣接セルリストが受信され、前記隣接セルリストに含まれる基地局情報が割り当てられているマクロ基地局毎に、前記マクロ基地局が出力する電波の受信状況が検出される。また、前記電波の受信状況が所定の閾値以下の強度である場合に、前記電波を出力するマクロ基地局に割り当てられている基地局情報が、自己の基地局情報として設定される。
【発明の効果】
【００３８】
本発明によれば、マクロセルに在圏している移動機を、フェムトセルに移行させやすくすることができる。
【発明を実施するための最良の形態】
【００３９】
図２は、本発明の一実施形態に係る通信システムの構成例を示す図である。
【００４０】
図２の例においては、建物Ｈ内に、ユーザが使用する携帯電話機などの移動機１があり、また、フェムト基地局２が設置されている。ここでは、フェムト基地局２が管理するフェムトセルの範囲は建物Ｈ内全体に及んでいるものとする。
【００４１】
フェムト基地局２にはLAN(Local Area Network)ケーブルなどを介して図示せぬブロードバンド回線のモデムが接続されている。フェムト基地局２は、モデムとブロードバンド回線を介してインターネットに接続され、フェムトセルに移動機１が在圏している場合には、移動機１が行う音声データなどの通信を中継する。
【００４２】
また、図２の例においては、建物Ｈの外に、フェムトセルよりも広い範囲のセルであるマクロセルを管理する基地局であるマクロ基地局３が設置されている。移動機１の位置は、フェムト基地局２が管理するフェムトセル内の位置であるとともに、マクロ基地局３からの電波を受信可能な範囲であるマクロセル内の位置でもある。移動機１の近く（フェムトセルの範囲である半径数十メートル以内）にフェムト基地局２があるから、マクロ基地局３からの電波はフェムト基地局２にも到達する。
【００４３】
マクロ基地局３は無線アクセスネットワークに接続され、マクロセルに移動機１が在圏している場合には、移動機１が行う音声データなどの通信を中継する。
【００４４】
また、マクロ基地局３は、自身のスクランブリングコードと、近隣にあるマクロセルを管理するマクロ基地局のスクランブリングコードが記述された隣接セルリストを繰り返しブロードキャストする。上述したように、CDMA方式の通信システムにおいては、基地局と移動機が通信を行うためにスクランブリングコード（基地局情報）が必要になる。
【００４５】
隣接セルリストを受信した移動機１は、共通パイロットチャネルのCPICH RSCPを算出することによって、隣接セルリストにスクランブリングコードが記述されている各マクロ基地局からの電波の受信状況を検出する。移動機１は、いま例えばマクロ基地局３が管理するマクロセルに在圏している場合、適宜、マクロ基地局３からの電波の受信状況に応じて、他の基地局が管理するセルに上述したようにして移行する。
【００４６】
マクロ基地局３によりブロードキャストされた隣接セルリストを受信したフェムト基地局２も同様に、CPICH RSCPを算出することによって、隣接セルリストにスクランブリングコードが記述されているマクロ基地局からの電波の受信状況を検出する。
【００４７】
また、フェムト基地局２は、算出したCPICH RSCPに基づいて、隣接セルリストにスクランブリングコードが記述されているマクロ基地局の中から、フェムト基地局２の設置位置においては受信できない、または閾値以下の強度でしか受信できない電波を出力するマクロ基地局を特定する。
【００４８】
フェムト基地局２は、そのようにして特定したマクロ基地局に割り当てられているスクランブリングコードと同じスクランブリングコードを、自身が移動機１と通信を行うために用いるスクランブリングコードとして設定する。
【００４９】
すなわち、図２の通信システムにおいては、マクロセルの設計時などにマクロ基地局３にはスクランブリングコードがあらかじめ割り当てられているが、フェムト基地局２には割り当てられていない。自身のスクランブリングコードとして用いたとしても、元々そのスクランブリングコードが割り当てられているマクロ基地局が出力する電波と干渉を起こすことがないようなスクランブリングコードが、フェムト基地局２に自動的に設定されることになる。
【００５０】
図３は、フェムト基地局２によるスクランブリングコードの設定の具体例を示す図である。
【００５１】
図３の例においては、マクロセル７４，１１０，１５０，２２０が、近隣にあるマクロセルとして示されている。また、フェムト基地局２が設置されることにより、マクロセル７４の内側にフェムトセルｆが形成されている。図３の位置Ｐ11がマクロ基地局３の設置位置であり、位置Ｐ12がフェムト基地局２の設置位置であるとする。
【００５２】
フェムトセルｆを管理するフェムト基地局２は、マクロセル７４を管理するマクロ基地局３がブロードキャストする隣接セルリストを受信する。隣接セルリストには、マクロセル７４，１１０，１５０，２２０を管理するマクロ基地局のスクランブリングコードとして７４，１１０，１５０，２２０が記述されている。
【００５３】
また、フェムト基地局２は、マクロセル７４，１１０，１５０，２２０のそれぞれのCPICH RSCPを算出する。CPICH RSCPに基づいて、フェムト基地局２の設置位置である位置Ｐ12においてはマクロセル１１０の電波を受信できないと判断した場合、フェムト基地局２は、図３の白抜き矢印に示すように、そのマクロセル１１０を管理するマクロ基地局に割り当てられているものと同じ１１０を、自分自身のスクランブリングコードとして設定する。
【００５４】
マクロセル１１０を管理するマクロ基地局が出力する電波はフェムトセルｆ内では受信できない電波であるから、フェムト基地局２が移動機との通信に１１０のスクランブリングコードを使ったとしても、干渉は生じないことになる。
【００５５】
このように、フェムト基地局２には、マクロ基地局３によりブロードキャストされる隣接セルリストに記述されているスクランブリングコードと同じスクランブリングコードが設定される。
【００５６】
このことは、マクロセル７４に在圏している移動機１がフェムトセルｆ内にある場合には、マクロセル７４からフェムトセルｆに移行しやすくなることを表す。
【００５７】
すなわち、上述したように、隣接セルリストにスクランブリングコードが記述されていない基地局が管理するセルに対する移行は、在圏しているセルのEc/Noの値がQqualmin以下にならないと発生しない。そのため、隣接セルリストにスクランブリングコードが記述されていない基地局が管理するセルに対する移行が発生する確率より、スクランブリングコードが記述されている基地局が管理するセルに対する移行が発生する確率の方が高い。
【００５８】
従って、本来、マクロ基地局のものとして隣接セルリストに記述されているスクランブリングコードではあるが、それと同じものをフェムト基地局２が自動的に設定することによって、マクロセル７４のEc/Noの値がQqualmin以下にまで劣化する前に、Qqualmin＋SintrasearchやQqualmin＋Sintersearch以下になれば、フェムトセルｆに対する移行が発生する可能性があることになる。
【００５９】
＜フェムト基地局２の構成例＞
図４は、フェムト基地局２の構成例を示すブロック図である。
【００６０】
図４に示すように、フェムト基地局２は、ネットワーク通信部１１、制御部１２、無線通信部１３、およびアンテナ１４から構成される。
【００６１】
ネットワーク通信部１１はネットワークのインタフェースであり、UDP(User Datagram Protocol)などの所定のプロトコルに従って、有線を介して、フェムト基地局２と接続されるモデムと通信を行う。
【００６２】
ネットワーク通信部１１は、モデムにより受信された通信相手の携帯電話機からの音声データを無線通信部１３に出力し、一方、無線通信部１３から供給された移動機１からの音声データをモデムに出力して通信相手の携帯電話機に送信させる。
【００６３】
制御部１２はCPU(Central Processing Unit)，ROM(Read Only Memory)，RAM(Random Access Memory)などよりなり、所定のプログラムを実行してフェムト基地局２の全体の動作を制御する。例えば、制御部１２は、選択したスクランブリングコードを無線通信部１３に設定し、設定したスクランブリングコードを用いて移動機１と通信を行わせる。
【００６４】
無線通信部１３は、マクロ基地局が出力する電波と同じ周波数帯域の電波をアンテナ１４から出力し、制御部１２により設定されたスクランブリングコードを用いて、W-CDMAなどの規格に従って移動機１と無線通信を行う。無線通信部１３においては、例えば、複数のチャネライゼーションコードを使って、最大４つの移動機との間で同時に通信を行うことができるようになされている。
【００６５】
無線通信部１３は、ネットワーク通信部１１から供給された通信相手の携帯電話機からの音声データを移動機１に送信し、アンテナ１４から供給された信号に基づいて受信した移動機１からの音声データをネットワーク通信部１１に出力する。
【００６６】
また、無線通信部１３は、マクロ基地局からの電波が受信されることに応じてアンテナ１４から供給された信号を制御部１２に出力する。
【００６７】
図５は、フェムト基地局２の機能構成例を示すブロック図である。
【００６８】
図５に示す構成のうちの少なくとも一部は、図４の制御部１２により所定のプログラムが実行されることによって実現される。図５に示すように、フェムト基地局２においては、隣接セルリスト生成部２１、受信状況検出部２２、およびスクランブリングコード設定部２３が実現される。
【００６９】
隣接セルリスト生成部２１は、無線通信部１３から供給された信号に基づいて、マクロ基地局３によりブロードキャストされた隣接セルリストを生成し、受信状況検出部２２に出力する。
【００７０】
受信状況検出部２２は、無線通信部１３から供給された信号に基づいて、隣接セルリストにスクランブリングコードが記述されているマクロセル毎のCPICH RSCPを算出する。受信状況検出部２２は、算出したCPICH RSCPと、隣接セルリストに記述されているスクランブリングコードを対応付けたテーブルをスクランブリングコード設定部２３に出力する。
【００７１】
スクランブリングコード設定部２３は、受信状況検出部２２から供給されたテーブルに基づいて、受信できない、または閾値以下の強度でしか受信できない電波を出力するマクロ基地局に割り当てられているスクランブリングコードを特定する。
【００７２】
また、スクランブリングコード設定部２３は、特定したスクランブリングコードと同じスクランブリングコードの情報を無線通信部１３に出力し、そのスクランブリングコードを用いて移動機１との間で通信を行わせる。
【００７３】
図６は、受信状況検出部２２から出力されるテーブルの例を示す図である。
【００７４】
図６の例においては、隣接セルリストに記述されているスクランブリングコードとして１１０，１５０，２２０，７４が上から順に示されている。
【００７５】
また、図６の例においては、マクロセル１５０のCPICH RSCPは−８０dBｍ、マクロセル２２０のCPICH RSCPは−９０dBｍ、マクロセル７４のCPICH RSCPは−９５dBｍとされている。マクロセル１１０のCPICH RSCPは、マクロセル１１０を管理するマクロ基地局からの電波を受信できない、または、非常に弱いレベルでしか受信できないために、Qrxlevminなどの閾値以下の値として算出されている。
【００７６】
この場合、スクランブリングコード設定部２３においてはスクランブリングコードとして１１０が設定され、移動機１との通信に用いられる。
【００７７】
CPICH RSCPが閾値以下となるマクロセルが複数ある場合、その複数のマクロセルを管理するマクロ基地局の中で、最も弱い電波を出力するマクロ基地局に割り当てられているスクランブリングコードが設定されるようにしてもよい。
【００７８】
＜フェムト基地局２の動作＞
次に、図７のフローチャートを参照して、スクランブリングコードを設定するフェムト基地局２の一連の処理について説明する。
【００７９】
ステップＳ１において、隣接セルリスト生成部２１は、無線通信部１３から供給された信号に基づいて、マクロ基地局３がブロードキャストする隣接セルリストを生成する。
【００８０】
ステップＳ２において、受信状況検出部２２は、隣接セルリストにスクランブリングコードが記述されているマクロセル毎のCPICH RSCPを算出し、各マクロ基地局からの電波の受信状況を検出する。
【００８１】
ステップＳ３において、スクランブリングコード設定部２３は、フェムト基地局２の設置位置においては受信できない電波を出力するマクロ基地局に割り当てられているスクランブリングコードと同じスクランブリングコードを設定し、処理を終了させる。
【００８２】
以上の処理により、マクロセルに在圏している移動機１をフェムトセルに移行させやすくすることができる。
【００８３】
例えば、マクロセルに在圏している移動機１がフェムトセル内に入り、移動機１において検出される在圏中のマクロセルのEc/Noの値が、Qqualminよりは高いが、Qqualmin＋SintrasearchやQqualmin＋Sintersearch以下になった場合、移動機１においては、マクロ基地局によりブロードキャストされる隣接セルリストにスクランブリングコードが記述されている基地局の探索が行われる。
【００８４】
フェムト基地局２には、マクロ基地局によりブロードキャストされる隣接セルリストに記述されているものと同じスクランブリングコードが上述したようにして設定されているため、この探索によって、移動機１によりフェムト基地局２が検出され、マクロセルから、フェムト基地局２が管理するフェムトセルに対して移動機１が移行することになる。移動機１はフェムトセルに在圏している状態となり、その後、移動機１による通信はフェムト基地局２を中継して行われる。
【００８５】
以上のフェムト基地局２の処理は、例えば、初めて電源が投入されたときに行われるだけでなく、電源が投入されている間、所定の周期で繰り返し行われたりするようにしてもよい。
【００８６】
図７の処理が複数回行われ、スクランブリングコードの設定が適宜変更されることにより、フェムト基地局２の設置位置における電波の受信状況が変化したような場合であっても、常に、隣接セルリストには記述されているが、フェムト基地局２の設置位置においては受信できない電波を出力するマクロ基地局に割り当てられているスクランブリングコードと同じスクランブリングコードをフェムト基地局２に設定しておくことが可能になる。
【００８７】
以上の例においては、図２の通信システムはW-CDMA方式の通信を行うシステムであるとしたが、CDMA2000方式であっても同様に適用が可能である。CDMA2000方式の通信システムの場合、各基地局はGPS(Global Positioning System)による同一の時刻を基準として同一のスクランブリングコードを用いて、基地局間で送信タイミングをずらして運用している。この場合にはフェムト基地局の設置位置において受信できない送信タイミングをフェムト基地局に設定することにより本方式が適用できる。
【００８８】
本発明の実施の形態は、上述した実施の形態に限定されるものではなく、本発明の要旨を逸脱しない範囲において種々の変更が可能である。
【００８９】
例えば、フェムトセル基地局２に替えて、「ピコセル」、「マイクロセル」と呼ばれる小型セルを形成する基地局が設けられるようにしてもよい。小型基地局は、フェムトセル、ピコセル、マイクロセル等の小型セルを形成する基地局である。
【図面の簡単な説明】
【００９０】
【図１】セル間の移行の例を示す図である。
【図２】本発明の一実施形態に係る通信システムの構成例を示す図である。
【図３】セル間の移行の例を示す図である。
【図４】フェムト基地局の構成例を示すブロック図である。
【図５】フェムト基地局の機能構成例を示すブロック図である。
【図６】図５の受信状況検出部から出力されるテーブルの例を示す図である。
【図７】フェムト基地局の処理について説明するフローチャートである。
【符号の説明】
【００９１】
１  移動機，  ２  フェムト基地局，  ３  マクロ基地局，  １１  ネットワーク通信部，  １２  制御部，  １３  無線通信部，  ２１  隣接セルリスト生成部，  ２２  受信状況検出部，  ２３  スクランブリングコード設定部
【図１】
2010118986.tif 000003
【図２】
2010118986.tif 000004
【図３】
2010118986.tif 000005
【図４】
2010118986.tif 000006
【図５】
2010118986.tif 000007
【図６】
2010118986.tif 000008
【図７】
2010118986.tif 000009